(57)【要約】【課題】コンパクトで構成部品が少ない排水管路を備えたドラム式洗濯機を提供すること。【解決手段】排水管路３２は、中心軸が略水平方向に延びる円筒状をなすとともに、排水管路３２の途中に設けた排水口３２ｃを開閉する排水弁３２ｄを有し、排水口３２ｃより下流側の径大部３２ｂには、略上方向に溢水管路３４が接続される円筒状の溢水管路接続部３３ａを設けるとともに、略下方向に洗濯機本体２８の外に排水するための外部排水管３５が接続される円筒状の外部排水管接続部３３ｂを設け、溢水管路接続部３３ａと外部排水管接続部３３ｂは、その中心軸が排水管路３２の中心軸と交差しない位置に排水管路３２と一体に形成したドラム式洗濯機としたものであり、コンパクトで構成部品が少ない排水管路を備えたドラム式洗濯機を提供することができる。【選択図】図１
2010082087.tif 000002
【特許請求の範囲】
【請求項１】
有底円筒形に形成された回転ドラムと、前記回転ドラムを、開口する正面側から底部となる背面側に向けて回転軸方向が水平または水平方向から下向き傾斜となるようにして内部に配設する水槽と、前記水槽を弾性的に支持する洗濯機本体と、前記回転ドラムを回転駆動するモータと、前記水槽の底部に連通し前記水槽内の洗濯水を排水する排水管路と、前記水槽の底部より所定の高さの位置に接続され前記水槽内に前記所定高さ以上の洗濯水を前記排水管路に排水する溢水管路とを備え、前記排水管路は、中心軸が略水平方向に延びる円筒状をなすとともに、前記排水管路の途中に設けた排水口を開閉する排水弁を有し、前記排水口より下流側の隣接部には、略上方向に前記溢水管路が接続される円筒状の溢水管路接続部を設けるとともに、略下方向に前記洗濯機本体の外に排水するための外部排水管が接続される円筒状の外部排水管接続部を設け、前記溢水管路接続部と外部排水管接続部は、その中心軸が前記排水管路の中心軸と交差しない位置に前記排水管路と一体に形成したドラム式洗濯機。
【請求項２】
溢水管路接続部と外部排水管接続部は、略同一径でその中心軸が略同一線上にあり、かつ、その内径部の少なくとも一部が、排水管路の開口部の下流側の隣接部の内径部とオーバーラップするように構成した請求項１に記載のドラム式洗濯機。
【請求項３】
溢水管路接続部および外部排水管接続部の内径部と、排水管路の開口部の下流側の隣接部の内径部とのオーバーラップ量は、その連接開口部の開口面積が、前記排水管路の開口部の開口面積より大きくなる寸法とした請求項１または２に記載のドラム式洗濯機。
【請求項４】
水槽の底部と排水管路の間に設けられ内部に収容されたフィルタにより排水された洗濯水中の異物や糸屑を回収する回収ボックスをさらに備え、前記回収ボックスは、前記排水管路と一体に形成した請求項１〜３のいずれか１項に記載のドラム式洗濯機。
【発明の詳細な説明】
【技術分野】
【０００１】
本発明は、洗濯物を収容した回転ドラムを回転駆動して洗い、すすぎ、脱水の各工程を行うドラム式洗濯機に関するものである。
【背景技術】
【０００２】
従来のこの種のドラム式洗濯機について図５を用いて説明する。ドラム式洗濯機１は、水槽３内に回転ドラム２を収容し、回転ドラム２の回転軸４を水槽３の背面に設けられた軸受６で軸支すると共に回転軸４にドラム駆動のモータ７を連結して構成されている。この水槽３は洗濯機本体８内に前上がりの状態に傾斜させて配設され、洗濯機本体８の底部に取り付けられた左右一対の防振ダンパー９によって、その重量が弾性支持されている。洗濯機本体８の前面には、回転ドラム２への洗濯物の出し入れを行う際に開閉する蓋体５が設けられている。
【０００３】
ここで、洗い工程後に排水される水は、水槽３の底部に配設された排水管路１０において、排水弁（図示せず）で開閉される排水口１２から下流側の排水管にて左右に二股に分岐され、一方は外部排水管１３へ、もう一方は溢水管路１４へと連結されているドラム式洗濯機が知られている（例えば、特許文献１参照）。
【０００４】
なお、この排水口１２が、水槽３でなく、洗濯機本体８の底部に配設されている例もあるが同様である。
【特許文献１】特開２００５−１３７６４５号公報
【発明の開示】
【発明が解決しようとする課題】
【０００５】
しかしながら、このような従来の洗濯機の構成では、構成要素が多く、また、特に洗濯機本体の底部に配設する場合において、防振ダンパーや制御基板、排水液中の糸屑等を回収する回収ボックスなどがあり、スペースが十分に確保できないため、必要以上に複雑な排水管路を構成する必要があった。その結果、管路抵抗の増加に伴う排水性能の悪化による泡立ち状態からの脱水立上がり性能の低下、また、部品点数の増加による組立て作業性の低下や修理サービス性の低下、更にコストアップになるなど、多くの課題があった。
【０００６】
本発明は、前記従来の課題を解決するもので、コンパクトで構成部品が少ない排水管路を備えたドラム式洗濯機を提供することにある。
【課題を解決するための手段】
【０００７】
前記従来の課題を解決するために、本発明のドラム式洗濯機は、略有底円筒形に形成された回転ドラムと、前記回転ドラムを、開口する正面側から底部となる背面側に向けて回転軸方向が水平または水平方向から下向き傾斜となるようにして内部に配設する水槽と、前記水槽を弾性的に支持する洗濯機本体と、前記回転ドラムを回転駆動するモータと、前記水槽の底部に連通し前記水槽内の洗濯水を排水する排水管路と、前記水槽の底部より所定の高さの位置に接続され前記水槽内に前記所定高さ以上の洗濯水を前記排水管路に排水する溢水管路とを備え、前記排水管路は、中心軸が略水平方向に延びる円筒状をなすとともに、前記排水管路の途中に設けた排水口を開閉する排水弁を有し、前記排水口より下流側の隣接部には、略上方向に前記溢水管路が接続される円筒状の溢水管路接続部を設けるとともに、略下方向に前記洗濯機本体の外に排水するための外部排水管が接続される円筒状の外部排水管接続部を設け、前記溢水管路接続部と外部排水管接続部は、その中心軸が前記排水管路の中心軸と交差しない位置に前記排水管路と一体に形成したものである。
【０００８】
これによって、排水口周辺に外部排水管と溢水管路がコンパクトに集約・接合され、少ない構成部品で省スペースにて構成することができる。
【発明の効果】
【０００９】
本発明によれば、排水口部に排水管路と溢水管路がコンパクトに集約・接合され、少ない構成部品でシンプル、省スペースにて構成することができるため、排水性能や溢水性能の悪化を招くことなく、また部品点数の増加による組立て作業性の悪化や修理サービス性の悪化、更にはコストアップしない、高品質で低コストのドラム式洗濯機を構成できる。
【発明を実施するための最良の形態】
【００１０】
第１の発明は、有底円筒形に形成された回転ドラムと、前記回転ドラムを、開口する正面側から底部となる背面側に向けて回転軸方向が水平または水平方向から下向き傾斜となるようにして内部に配設する水槽と、前記水槽を弾性的に支持する洗濯機本体と、前記回転ドラムを回転駆動するモータと、前記水槽の底部に連通し前記水槽内の洗濯水を排水する排水管路と、前記水槽の底部より所定の高さの位置に接続され前記水槽内に前記所定高さ以上の洗濯水を前記排水管路に排水する溢水管路とを備え、前記排水管路は、中心軸が略水平方向に延びる円筒状をなすとともに、前記排水管路の途中に設けた排水口を開閉する排水弁を有し、前記排水口より下流側の隣接部には、略上方向に前記溢水管路が接続される円筒状の溢水管路接続部を設けるとともに、略下方向に前記洗濯機本体の外に排水するための外部排水管が接続される円筒状の外部排水管接続部を設け、前記溢水管路接続部と外部排水管接続部は、その中心軸が前記排水管路の中心軸と交差しない位置に前記排水管路と一体に形成したことにより、排水口周辺部に排水管路と溢水管路がコンパクトに集約・接合され、少ない構成部品でシンプル、省スペースにて構成することができるため、排水性能や溢水性能の悪化を招くことなく、また部品点数の増加による組立て作業性の悪化や修理サービス性の悪化、更にはコストアップしない、高品質で低コストのドラム式洗濯機を実現できる。
【００１１】
第２の発明は、特に第１の発明において、溢水管路接続部と外部排水管接続部は、略同一径でその中心軸が略同一線上にあり、かつ、その内径部の少なくとも一部が、排水管路の開口部の下流側の隣接部の内径部とオーバーラップするように構成したことにより、シンプルな金型構造で排水管路を成型することができ、溢水管路接続部と外部排水管接続部が略同一径でその中心軸が略同一線上にあるため、溢水管路における管路抵抗も少なく、金型構造もシンプルになり、略水平方向にずらすことで排水弁に阻害されないで、溢水管路の断面積を確保し、十分な溢水流量を得ることができる。
【００１２】
第３の発明は、特に第１または第２の発明において、溢水管路接続部および外部排水管接続部の内径部と、排水管路の開口部の下流側の隣接部の内径部とのオーバーラップ量は、その連接開口部の開口面積が、前記排水管路の開口部の開口面積より大きくなる寸法としたから、水槽内からの洗濯水を排水する排水管路の管路抵抗を少なくすることができ、排水管路の断面積を確保し、十分な溢水流量を得ることができる。
【００１３】
第４の発明は、特に第１〜３のいずれか１つの発明において、水槽の底部と排水管路の間に設けられ内部に収容されたフィルタにより排水された洗濯水中の異物や糸屑を回収する回収ボックスをさらに備え、前記回収ボックスは、前記排水管路と一体に形成したことにより、さらに少ない構成部品で、既述の効果を得ることができるので、さらに低コストのドラム式洗濯機を実現できる。
【００１４】
以下、本発明の実施の形態について、図面を参照しながら説明する。なお、この実施の形態によって本発明が限定されるものではない。
【００１５】
（実施の形態１）
図１は、本発明の第１におけるドラム式洗濯機の断面図、図２および図３は、同ドラム式洗濯機における排水口周辺の部分構成図、図４は、同ドラム式洗濯機における排水口周辺の部分斜視図である。
【００１６】
ドラム式洗濯機２１は、水槽２３内に回転ドラム２２を収容し、回転ドラム２２の回転軸２４を水槽２３の背面に設けられた軸受２６で軸支すると共に回転軸２４にドラム駆動のモータ２７を連結して構成されている。この水槽２３は洗濯機本体２８内に前上がりの状態に傾斜させて配設され、洗濯機本体２８の底部に取り付けられた左右一対の防振ダンパー２９によって、その重量が弾性支持されている。また、洗濯機本体２８の前面には、回転ドラム２２への洗濯物の出し入れを行う際に開閉する蓋体２５が設けられている。
【００１７】
また、水槽２３の底部２３ａには、蛇腹状のゴムホース３０の一端が接続され、そのゴムホース３０の他端は、内部にフィルタ（図示せず）を収容しそのフィルタにより排水された洗濯水中の異物や糸屑を回収する回収ボックス３１の背面に一体に形成した回収ボックス流入口３１ａに接続されている。さらに回収ボックス３１の側面には、中心軸が略水平方向（ドラム式洗濯機２１の正面側から見て横方向）に延びた円筒状の排水管路３２が接続されている。回収ボックス３１と排水管路３２は、一体に成型されている。
【００１８】
排水管路３２には、回収ボックス３１に接続する径小部３２ａと、その反対側の径大部３２ｂが設けられ、径小部３２ａと径大部３２ｂの繋ぎ部分が排水口（排水管路３２の開口部）３２ｃをなしている。径大部３２ｂの内部には、ゴム等成型された排水弁３２ｄが設けられ、ギアドモータ（図示せず）の駆動により伸縮する。排水弁３２ｄが延びた状態においては、図２に示すように、径小部３２ａと径大部３２ｂの繋ぎ部分の排水口３２ｃを閉塞する状態となっている。一方、排水弁３２ｄが縮んだ状態においては、図３に示すように、径小部３２ａと径大部３２ｂの繋ぎ部分の排水口３２ｃは開放された状態となっている。
【００１９】
一方、水槽２３の前面部２３ｂには、水槽２３の底部２３ａより所定の高さ位置Ａに、溢水管路３４の一端が接続され、水槽２３内に所定高さ以上の洗濯水が給水された場合、その溢れた洗濯水が溢水管路３４に溢水され排水されるように構成している。
【００２０】
さらに、排水管路３２には、排水口３２ｃの下流側の隣接部である径大部３２ｂに、略上方向に円筒状に延びた溢水管路接続部３３ａと、略下方向に円筒状に延びた外部排水管接続部３３ｂとが設けられている。溢水管路接続部３３ａには、溢水管路３４の他端が接続され、外部排水管接続部３３ｂには、洗濯機本体２８の外に排水するための外部排水管３５が接続されている。
【００２１】
溢水管路接続部３３ａと外部排水管接続部３３ｂとは、略同一径でその中心軸が略同一線上にあり、その中心軸が径大部３２ｂの中心軸と交差しない位置で、かつ、その内径部の少なくとも一部が、径大部３２ｂの内径部とオーバーラップするように構成している。この構成により、径大部３２ｂ内と、溢水管路接続部３３ａおよび外部排水管接続部３３ｂ内とが、連接開口部３３ｃを介して連通するように構成している。なお、オーバーラップ量は、連接開口部３３ｃの開口面積が、排水口３２ｃの開口面積より大きくなる寸法としている。
【００２２】
以上のように構成した排水管路３２まわりの構成の動作、作用を説明する。使用者は、蓋体２５を開き、洗濯物を回転ドラム２２内に投入した後、再度蓋体２５を閉じ、スタートボタン（図示せず）を操作することで一連の洗濯を開始させる。
【００２３】
洗い工程が開始すると、給水弁（図示せず）が開放され、水槽２３内に洗濯水が給水される。その際、万が一、給水弁の故障により、洗い行程の所定水位に達しても給水が停止しない場合が発生したとしても、水槽２３の前面部２３ｂに接続された溢水管路３４から洗濯水が溢れ出ることで、水槽２３の底部２３ａより所定の高さ以上に洗濯水が水槽内に溜まらないようにしている。この溢水管路３４を介して溢れ出た水は、溢水管路接続部３３ｂから真下の外部排水管接続部３３ｂに流れ落ち、さらに外部排水管３５へと流れ、洗濯機本体２８の外に排水される。このとき、外部配水管接続部３３ａと溢水管路接続部３３ｂが略同一径でその中心軸が略同一線上にあるため、管路抵抗が少なく、また、溢水管路接続部３３ａと外部排水管接続部３３ｂとは、その中心軸が径大部３２ｂの中心軸と交差しない位置にずれていることにより、排水口３２ｃを閉塞した状態にある排水弁３２ｄの側壁を流れることで管路抵抗が少なく、スムーズな排水が可能である。
【００２４】
また、正常に給水が終了し、洗い工程が実行された後は、排水工程が実行される。この排水工程においては、ギアドモータ（図示せず）の駆動により排水弁３２ｄが縮んだ状態となり、排水口３２ｃが開放される。このように、排水口３２ｃが開放されると、水槽３２内の洗濯水は、ゴムホース３０を介して回収ボックス３１に流れ込み、フィルタにより排水された洗濯水中の異物や糸屑が回収された後、排水管路３２の径小部３２ａに流れ込む。その後、排水口３２ｃを通り、径大部３２ｂから連接開口部３３ｃを抜けて、外部配水管接続部３３ａへ流れ、外部排水管３５へと流れ、洗濯機本体２８の外に排水される。このとき、連接開口部３３ｃの開口面積は、排水口３２ｃの開口面積より大きくなるようにしているので、管路抵抗が少なく、スムーズな排水が可能である。
【００２５】
以上の構成により、排水経路、溢水経路の管路抵抗も少なく、排水口の周辺部に各接続部をコンパクトに集約することができる。
【００２６】
そして、排水管路３２まわりの構成は、図４に示すように、比較的容易に一体成形とすることが可能であり、よって、更に少ない構成部品（低コスト）で、排水性能や溢水性能の悪化を招くことなく、また部品点数の増加による組立て作業性の悪化や修理サービス性の悪化、更にはコストアップしない、高品質で低コストのドラム式洗濯機を実現できる。
【００２７】
なお、上記実施の形態１および２においては、水槽が洗濯機本体内に前上がりの状態に傾斜させて配設した構成で説明したが、水槽が洗濯機本体内に水平方向に配設した構成であっても、同等の効果を得ることができる。
【産業上の利用可能性】
【００２８】
以上のように、本発明にかかるドラム式洗濯機は、シンプル・コンパクトな排水管路が構成できるため、洗濯機全般、脱水機などの用途にも適用できる。
【図面の簡単な説明】
【００２９】
【図１】本発明の実施の形態１におけるドラム式洗濯機の構成図
【図２】同ドラム式洗濯機における排水口周辺の部分構成図
【図３】同ドラム式洗濯機における排水口周辺の部分構成図
【図４】同ドラム式洗濯機における排水口周辺の部分斜視図
【図５】従来のドラム式洗濯機における構成図
【符号の説明】
【００３０】
２８  洗濯機本体
３２  排水管路
３２ｂ  径大部
３２ｃ  排水口
３２ｄ  排水弁
３３ａ  溢水管路接続部
３３ｂ  外部排水管接続部
３４  溢水管路
３５  外部排水管
【図１】
2010082087.tif 000003
【図２】
2010082087.tif 000004
【図３】
2010082087.tif 000005
【図４】
2010082087.tif 000006
【図５】
2010082087.tif 000007